(57)【要約】【課題】加入者情報が登録された通信事業者網から他網にローミングアウトした移動機（加入者）に対しても的確な通信規制を行えるようにする。【解決手段】第１の通信事業者通信網１００のＨＬＲ１１０、ＧＧＳＮ１２０、および、第２の通信事業者通信網２００のＳＧＳＮ２２０を含むローミングシステムで、ＳＧＳＮ２２０は移動機２１０からパケット発信要求を受けてＧＧＳＮ１２０に転送し、該転送を受けたＧＧＳＮ１２０がＨＬＲ１１０に移動機２１０の加入者情報を問合せる。ＨＬＲ１１０は、該パケット発信要求が規制に該当するか否かを識別し、当該規制に該当する場合にＧＧＳＮ１２０に識別結果を返す。ＧＧＳＮ１２０は、この識別結果に対応する応答をＳＧＳＮ２２０に転送し、該転送を受けたＳＧＳＮ２２０は、識別結果に対応する応答を移動機２１０に転送する。【選択図】  図１
2011009918.tif 000002
【特許請求の範囲】
【請求項１】
第１の通信事業者通信網に設置され移動機の位置登録情報を含む加入者情報を持つＨＬＲ(Home Location Register)および外部のパケット通信網との網間接続を行うゲートウェイであるＧＧＳＮ（Gateway GPRS Support Node）、ならびに、第２の通信事業者通信網に設置され移動機との間の通信を中継するＳＧＳＮ（Serving GPRS Support Node）を含むローミングシステムであって、
前記ＳＧＳＮは第２の通信事業者通信網に在圏する移動機からのパケット発信要求を受けると前記ＧＧＳＮに該パケット発信要求を転送するパケット発信要求転送部と、該パケット発信要求が所定の規制に該当するか否かに関する前記ＨＬＲによる識別の結果を前記ＧＧＳＮから受けて前記識別の結果に対応する応答を前記移動機に転送する識別結果応答転送部とを有し、
前記ＧＧＳＮは、前記ＳＧＳＮから転送された該パケット発信要求を受けると前記ＨＬＲに前記移動機に関する加入者情報を問合せる加入者情報問合せ部と、前記ＨＬＲから受けた前記識別の結果に対応する応答を前記ＳＧＳＮに転送する識別結果応答転送部とを有し、
前記ＨＬＲは、該パケット発信要求が前記加入者情報に対応して設定されている規制に該当するか否かを識別する被規制状況識別部と、前記被規制状況識別部が当該規制に該当することを識別した場合に前記ＧＧＳＮに前記識別の結果に対応する応答を返す識別結果応答部とを有する、
ことを特徴とするローミングシステム。
【請求項２】
前記ＨＬＲは、その被規制状況識別部により、前記第１の通信事業者通信網に設置され顧客情報を管理する顧客管理システムが保持している顧客毎の通信に関する規制情報に基づいて前記識別を実行することを特徴とする請求項１に記載のローミングシステム。
【請求項３】
前記顧客管理システムは、前記第１の通信事業者通信網に設置され顧客の料金データを集中管理する料金明細センターの料金明細データベースが保有する料金明細データに基づいて利用パケット料金が規制値を超過した顧客を特定する規制情報を該料金明細センターから得て、保持することを特徴とする請求項２に記載のローミングシステム。
【請求項４】
前記ＨＬＲは、その被規制状況識別部により、前記第１の通信事業者通信網に設置され顧客情報を管理する顧客管理システムが保持している顧客毎の通信に関する規制情報に基づいて前記識別を実行することを特徴とする請求項１に記載のローミングシステム。
【請求項５】
前記ＧＧＳＮは、その識別結果応答転送部により、前記ＨＬＲからの３ＧＰＰの標準化仕様による「unknown subscriber」なるメッセージデータを含む前記識別の結果に対応する応答を受けて、３ＧＰＰ（third generation partnership project）の標準化仕様による「user authentication failed」を含む前記識別の結果に対応する応答を前記ＳＧＳＮに返すことを特徴とする請求項４に記載のローミングシステム。
【請求項６】
第１の通信事業者通信網に設置され移動機の位置登録情報を含む加入者情報を持つＨＬＲ(Home Location Register)および外部のパケットデータネットワークとの網間接続を行うゲートウェイであるＧＧＳＮ（Gateway GPRS Support Node）、ならびに、第２の通信事業者通信網に設置され移動機との間の通信を中継するＳＧＳＮ（Serving GPRS Support Node）を含むローミングシステムに適用されるＨＬＲであって、
前記第２の通信事業者通信網に在圏する移動機から前記ＳＧＳＮを介してパケット発信要求を受信した前記第１の通信事業者通信網のＧＧＳＮからの加入者情報問合せを受ける加入者情報問合せ受信部と、
前記加入者情報問合せ受信部が加入者情報問合せを受けたときには該加入者情報問合せに対応する当該パケット発信要求が前記加入者情報に対応して設定されている規制に該当するか否かを識別する被規制状況識別部と、
前記被規制状況識別部が当該パケット発信要求が該規制に該当すると識別した場合に前記ＧＧＳＮに前記識別の結果に対応する応答を返す識別結果応答部と、
を備えていることを特徴とするＨＬＲ。
【請求項７】
前記被規制状況識別部は、前記第１の通信事業者通信網に設置され顧客情報を管理する顧客管理システムが保持している顧客毎の通信に関する規制情報に基づいて前記識別を実行することを特徴とする請求項６に記載のＨＬＲ。
【請求項８】
前記顧客管理システムは、前記第１の通信事業者通信網に設置され顧客の料金データを集中管理する料金明細センターの料金明細データベースが保有する料金明細データに基づいて利用パケット料金が規制値を超過した顧客を特定する規制情報を該料金明細センターから得て、保持することを特徴とする請求項７に記載のＨＬＲ。
【請求項９】
第１の通信事業者通信網に設置され移動機の位置登録情報を含む加入者情報を持つＨＬＲ(Home Location Register)および外部のパケットデータネットワークとの網間接続を行うゲートウェイであるＧＧＳＮ（Gateway GPRS Support Node）、ならびに、第２の通信事業者通信網に設置され移動機との間の通信を中継するＳＧＳＮ（Serving GPRS Support Node）を含むローミングシステムのＨＬＲにおけるパケット通信規制方法であって、
前記第２の通信事業者通信網に在圏する移動機から前記ＳＧＳＮを介してパケット発信要求を受信した前記第１の通信事業者通信網のＧＧＳＮからの加入者情報問合せを受ける加入者情報問合せ受信ステップと、
前記加入者情報問合せ受信ステップで受けた該加入者情報問合せに対応する当該パケット発信要求が前記加入者情報に対応して設定されている規制に該当するか否かを識別するパケット通信可否識別ステップと、
前記パケット通信可否識別ステップで当該パケット発信要求が該規制に該当すると識別した場合に前記ＧＧＳＮに前記識別の結果に対応する応答を返す応答ステップと、
を含んでいることを特徴とするパケット通信規制方法。
【発明の詳細な説明】
【技術分野】
【０００１】
本発明は、ローミングシステム、ＨＬＲ(Home Location Register)、および、パケット通信規制方法に関し、特に、加入者情報を登録してある通信事業者網から他網にローミングアウトした移動機に関して、例えばパケット料金が規制値を超過している等の規制条件への該当の有無を的確に判断して規制を行うことができるようにしたローミングシステム、ＨＬＲ、および、パケット通信規制方法に関する。
【背景技術】
【０００２】
ローミング先の移動通信網から位置登録要求がなされた際に、予め登録された付加サービスの内容に応じて、個別的に位置登録の可否を制御できるようにしたローミングシステムが提案されている（例えば、特許文献１参照）。
特許文献１には、ローミング先移動通信網の交換機から位置登録要求を受信したＨＬＲが、交換機への加入者情報の転送の応答として、当該交換機から付加サービス実行機能未サポートを受信したときに、サービス制御装置にて管理される付加サービスの内容及びその付加サービスの活性化情報の少なくとも一方に基づいて移動機の位置登録可否を決定し、その決定結果に基づいて位置登録制御を行う旨開示されている。
【先行技術文献】
【特許文献】
【０００３】
【特許文献１】特開２００３−１２５４３４号公報
【発明の概要】
【発明が解決しようとする課題】
【０００４】
ところで、加入者情報を登録してある通信事業者網から他網にローミングアウトした移動機を用いたパケット通信に関しても、例えば、契約によるパケット通信料金を超過した場合など、通信の規制に該当するパケット発信要求については的確にその通信を規制することが必要とされている。
現行のローミングシステムでは、利用パケット量超過時に、ホーム網ＨＬＲ(Home Location Register)はローミングＳＧＳＮ（Serving GPRS Support Node）に対し、プロファイル情報の削除要求（または規制情報）を送信し、ローミング先のＳＧＳＮで、プロファイル情報を削除することによって、移動機からのパケット発信要求を規制するという方法を採っている。しかしながら、このローミングシステムでは、必ずしも常時的確に通信の規制を行うことができない。
【０００５】
上掲の特許文献１所載の技術でも、特に、上述のような規制をも的確に行えるようにしようとする視点が無く、従って、このような課題に対応する手段は開示されていない。
本発明は上述のような状況に鑑みてなされたものであり、加入者情報の登録がなされている通信事業者網から他網にローミングアウトした移動機（加入者）について、常時的確に通信の規制を行うことができるローミングシステム、ＨＬＲ、および、パケット通信規制方法を提供することを目的とする。
【課題を解決するための手段】
【０００６】
上記課題を解決するために、茲に、以下に列記する技術を提案する。
（１）第１の通信事業者通信網に設置され移動機の位置登録情報を含む加入者情報を持つＨＬＲ(Home Location Register)および外部のパケット通信網との網間接続を行うゲートウェイであるＧＧＳＮ（Gateway GPRS Support Node）、ならびに、第２の通信事業者通信網に設置され移動機との間の通信を中継するＳＧＳＮ（Serving GPRS Support Node）を含むローミングシステムであって、
前記ＳＧＳＮは第２の通信事業者通信網に在圏する移動機からのパケット発信要求を受けると前記ＧＧＳＮに該パケット発信要求を転送するパケット発信要求転送部と、該パケット発信要求が所定の規制に該当するか否かに関する前記ＨＬＲによる識別の結果を前記ＧＧＳＮから受けて前記識別の結果に対応する応答を前記移動機に転送する識別結果応答転送部とを有し、
前記ＧＧＳＮは、前記ＳＧＳＮから転送された該パケット発信要求を受けると前記ＨＬＲに前記移動機に関する加入者情報を問合せる加入者情報問合せ部と、前記ＨＬＲから受けた前記識別の結果に対応する応答を前記ＳＧＳＮに転送する識別結果応答転送部とを有し、
前記ＨＬＲは、該パケット発信要求が前記加入者情報に対応して設定されている規制に該当するか否かを識別する被規制状況識別部と、前記被規制状況識別部が当該規制に該当することを識別した場合に前記ＧＧＳＮに前記識別の結果に対応する応答を返す識別結果応答部とを有する、
ことを特徴とするローミングシステム。
【０００７】
上記（１）のローミングシステムは、第１の通信事業者通信網に設置され移動機の位置登録情報を含む加入者情報を持つＨＬＲ(Home Location Register)および外部のパケット通信網との網間接続を行うゲートウェイであるＧＧＳＮ（Gateway GPRS Support Node）、ならびに、第２の通信事業者通信網に設置され移動機との間の通信を中継するＳＧＳＮ（Serving GPRS Support Node）を含む。
そして、前記ＳＧＳＮは第２の通信事業者通信網に在圏する移動機からのパケット発信要求を受けるとそのパケット発信要求転送部により、前記ＧＧＳＮに該パケット発信要求を転送する。
また、前記ＧＧＳＮは、該転送されたパケット発信要求を受けるとその加入者情報問合せ部により、前記ＨＬＲに前記移動機に関する加入者情報を問合せる。
【０００８】
また、前記ＨＬＲは、その被規制状況識別部により、該パケット発信要求が前記加入者情報に対応して設定されている規制に該当するか否かを識別し、当該規制に該当する場合にその識別結果応答部により、前記ＧＧＳＮに前記識別の結果に対応する応答を返す。
更に、前記ＧＧＳＮは、その識別結果応答転送部により、前記ＨＬＲから受けた前記識別の結果に対応する応答を前記ＳＧＳＮに転送する。
更にまた、前記ＳＧＳＮは、その識別結果応答転送部により、前記ＧＧＳＮから受けた前記識別の結果に対応する応答を前記移動機に転送する。
【０００９】
（２）前記ＨＬＲは、その被規制状況識別部により、前記第１の通信事業者通信網に設置され顧客情報を管理する顧客管理システムが保持している顧客毎の通信に関する規制情報に基づいて前記識別を実行することを特徴とする（１）のローミングシステム。
上記（２）のローミングシステムは、（１）のローミングシステムにおいて特に、前記ＨＬＲは、その被規制状況識別部により、前記第１の通信事業者通信網に設置され顧客情報を管理する顧客管理システムが保持している顧客毎の通信に関する規制情報に基づいて前記識別を実行する。
【００１０】
（３）前記顧客管理システムは、前記第１の通信事業者通信網に設置され顧客の料金データを集中管理する料金明細センターの料金明細データベースが保有する料金明細データに基づいて利用パケット料金が規制値を超過した顧客を特定する規制情報を該料金明細センターから得て、保持することを特徴とする（２）のローミングシステム。
上記（３）のローミングシステムは、（２）のローミングシステムにおいて特に、前記顧客管理システムは、前記第１の通信事業者通信網に設置され顧客の料金データを集中管理する料金明細センターの料金明細データベースが保有する料金明細データに基づいて利用パケット料金が規制値を超過した顧客を特定する規制情報を該料金明細センターから得て保持している。
【００１１】
（４）前記ＨＬＲは、その識別結果応答部により、前記識別の結果に対応する応答として３ＧＰＰ（third generation partnership project）の標準化仕様による「unknown subscriber」なるメッセージデータを含む応答を前記ＧＧＳＮに返すことを特徴とする（１）のローミングシステム。
上記（４）のローミングシステムは、（１）のローミングシステムにおいて特に、前記ＨＬＲは、その識別結果応答部により、前記識別の結果に対応する応答として３ＧＰＰの標準化仕様による「unknown subscriber」なるメッセージデータを含む応答を前記ＧＧＳＮに返す。
【００１２】
（５）前記ＧＧＳＮは、その識別結果応答転送部により、前記ＨＬＲからの３ＧＰＰの標準化仕様による「unknown subscriber」なるメッセージデータを含む前記識別の結果に対応する応答を受けて、３ＧＰＰ（third generation partnership project）の標準化仕様による「user authentication failed」を含む前記識別の結果に対応する応答を前記ＳＧＳＮに返すことを特徴とする（４）のローミングシステム。
上記（５）のローミングシステムでは、（４）のローミングシステムにおいて特に、前記ＧＧＳＮは、その識別結果応答転送部により、前記ＨＬＲからの３ＧＰＰの標準化仕様による「unknown subscriber」なるメッセージデータを含む前記識別の結果に対応する応答を受けて、３ＧＰＰの標準化仕様による「user authentication failed」を含む前記識別の結果に対応する応答を前記ＳＧＳＮに返す。
【００１３】
（６）第１の通信事業者通信網に設置され移動機の位置登録情報を含む加入者情報を持つＨＬＲ(Home Location Register)および外部のパケットデータネットワークとの網間接続を行うゲートウェイであるＧＧＳＮ（Gateway GPRS Support Node）、ならびに、第２の通信事業者通信網に設置され移動機との間の通信を中継するＳＧＳＮ（Serving GPRS Support Node）を含むローミングシステムに適用されるＨＬＲであって、
前記第２の通信事業者通信網に在圏する移動機から前記ＳＧＳＮを介してパケット発信要求を受信した前記第１の通信事業者通信網のＧＧＳＮからの加入者情報問合せを受ける加入者情報問合せ受信部と、
前記加入者情報問合せ受信部が加入者情報問合せを受けたときには該加入者情報問合せに対応する当該パケット発信要求が前記加入者情報に対応して設定されている規制に該当するか否かを識別する被規制状況識別部と、
前記被規制状況識別部が当該パケット発信要求が該規制に該当すると識別した場合に前記ＧＧＳＮに前記識別の結果に対応する応答を返す識別結果応答部と、
を備えていることを特徴とするＨＬＲ。
【００１４】
上記（６）のＨＬＲは、第１の通信事業者通信網に設置され移動機の位置登録情報を含む加入者情報を持つＨＬＲ(Home Location Register)および外部のパケットデータネットワークとの網間接続を行うゲートウェイであるＧＧＳＮ（Gateway GPRS Support Node）、ならびに、第２の通信事業者通信網に設置され移動機との間の通信を中継するＳＧＳＮ（Serving GPRS Support Node）を含むローミングシステムに適用される。
【００１５】
その加入者情報問合せ受信部が、前記第２の通信事業者通信網に在圏する移動機から前記ＳＧＳＮを介してパケット発信要求を受信した前記第１の通信事業者通信網のＧＧＳＮからの加入者情報問合せを受ける。
被規制状況識別部が、前記加入者情報問合せ受信部が加入者情報問合せを受けたときには該加入者情報問合せに対応する当該パケット発信要求が前記加入者情報に対応して設定されている規制に該当するか否かを識別する。
識別結果応答部が、前記被規制状況識別部が当該パケット発信要求が該規制に該当すると識別した場合に前記ＧＧＳＮに前記識別の結果に対応する応答を返す。
【００１６】
（７）前記被規制状況識別部は、前記第１の通信事業者通信網に設置され顧客情報を管理する顧客管理システムが保持している顧客毎の通信に関する規制情報に基づいて前記識別を実行することを特徴とする（６）のＨＬＲ。
上記（７）のＨＬＲでは、（６）のＨＬＲにおいて特に、前記被規制状況識別部は、前記第１の通信事業者通信網に設置され顧客情報を管理する顧客管理システムが保持している顧客毎の通信に関する規制情報に基づいて前記識別を実行する。
【００１７】
（８）前記顧客管理システムは、前記第１の通信事業者通信網に設置され顧客の料金データを集中管理する料金明細センターの料金明細データベースが保有する料金明細データに基づいて利用パケット料金が規制値を超過した顧客を特定する規制情報を該料金明細センターから得て、保持することを特徴とする（７）のＨＬＲ。
上記（８）のＨＬＲでは、（７）のＨＬＲにおいて特に、前記顧客管理システムは、前記第１の通信事業者通信網に設置され顧客の料金データを集中管理する料金明細センターの料金明細データベースが保有する料金明細データに基づいて利用パケット料金が規制値を超過した顧客を特定する規制情報を該料金明細センターから得て、保持する。
【００１８】
（９）第１の通信事業者通信網に設置され移動機の位置登録情報を含む加入者情報を持つＨＬＲ(Home Location Register)および外部のパケットデータネットワークとの網間接続を行うゲートウェイであるＧＧＳＮ（Gateway GPRS Support Node）、ならびに、第２の通信事業者通信網に設置され移動機との間の通信を中継するＳＧＳＮ（Serving GPRS Support Node）を含むローミングシステムのＨＬＲにおけるパケット通信規制方法であって、
前記第２の通信事業者通信網に在圏する移動機から前記ＳＧＳＮを介してパケット発信要求を受信した前記第１の通信事業者通信網のＧＧＳＮからの加入者情報問合せを受ける加入者情報問合せ受信ステップと、
前記加入者情報問合せ受信ステップで受けた該加入者情報問合せに対応する当該パケット発信要求が前記加入者情報に対応して設定されている規制に該当するか否かを識別するパケット通信可否識別ステップと、
前記パケット通信可否識別ステップで当該パケット発信要求が該規制に該当すると識別した場合に前記ＧＧＳＮに前記識別の結果に対応する応答を返す応答ステップと、
を含んでいることを特徴とするパケット通信規制方法。
【００１９】
上記（９）のパケット通信規制方法は、第１の通信事業者通信網に設置され移動機の位置登録情報を含む加入者情報を持つＨＬＲ(Home Location Register)および外部のパケットデータネットワークとの網間接続を行うゲートウェイであるＧＧＳＮ（Gateway GPRS Support Node）、ならびに、第２の通信事業者通信網に設置され移動機との間の通信を中継するＳＧＳＮ（Serving GPRS Support Node）を含むローミングシステムのＨＬＲにおけるパケット通信規制方法である。
【００２０】
その受信ステップでは、前記第２の通信事業者通信網に在圏する移動機から前記ＳＧＳＮを介してパケット発信要求を受信した前記第１の通信事業者通信網のＧＧＳＮからの加入者情報問合せを受ける。
また、パケット通信可否識別ステップでは、前記加入者情報問合せ受信ステップで受けた該加入者情報問合せに対応する当該パケット発信要求が前記加入者情報に対応して設定されている規制に該当するか否かを識別する。
更に、応答ステップでは、前記パケット通信可否識別ステップで当該パケット発信要求が該規制に該当すると識別した場合に前記ＧＧＳＮに前記識別の結果に対応する応答を返す。
【発明の効果】
【００２１】
外国にローミングアウトしている移動機の場合を含み、加入者情報の登録がなされている通信事業者網から他網にローミングアウトした移動機（加入者）について、常時的確に通信の規制を行うことができるローミングシステム、ＨＬＲ、および、パケット通信規制方法が実現される。
【図面の簡単な説明】
【００２２】
【図１】本発明の一つの実施の形態としてのローミングシステムの構成を表す概念図である。
【図２】図１のローミングシステムの動作を表すシーケンスチャートである。
【図３】本発明の一つの実施の形態としてのＨＬＲを表す機能ブロック図である。
【図４】本発明の一つの実施の形態としてのパケット通信規制方法を表すフローチャートである。
【発明を実施するための形態】
【００２３】
以下に、図面を参照して本発明の実施の形態について詳述することにより、本発明を明らかにする。
（ローミングシステムの構成）
図１は、本発明の一つの実施の形態としてのローミングシステムの構成を表す概念図である。
図１において、第１の通信事業者通信網１００には、移動機の位置登録情報を含む加入者情報を持つＨＬＲ(Home Location Register)１１０および外部のパケット通信網との網間接続を行うゲートウェイであるＧＧＳＮ（Gateway GPRS Support Node）１２０が設置されている。
【００２４】
また、第２の通信事業者通信網２００では、第１の通信事業者通信網１００に加入者登録してある移動機２１０がＳＧＳＮ（Serving GPRS Support Node）２２０のもとに在圏している。
第２の通信事業者通信網２００におけるＳＧＳＮ２２０は、第２の通信事業者通信網２００に在圏する移動機２１０からのパケット発信要求を受けるとＧＧＳＮ１２０に該パケット発信要求を転送するパケット発信要求転送部２１１を備えている。また、ＳＧＳＮ２２０は、該パケット発信要求が所定の規制に該当するか否かに関するＨＬＲ１１０による識別の結果をＧＧＳＮ１２０から受けて上記識別の結果に対応する応答を移動機２１０に転送する識別結果応答転送部２１２を備えている。
【００２５】
ＧＧＳＮ１２０は、ＳＧＳＮ２２０から転送された該パケット発信要求を受けるとＨＬＲ１１０に移動機２１０に関する加入者情報を問合せる加入者情報問合せ部１２１を備えている。また、ＧＧＳＮ１２０は、ＨＬＲ１１０から受けた上記識別の結果に対応する応答をＳＧＳＮ２２０に転送する識別結果応答転送部を備えている。
ＨＬＲ１１０は、該パケット発信要求が上記加入者情報に対応して設定されている規制に該当するか否かを識別する被規制状況識別部１１１を備えている。また、ＨＬＲ１１０は、被規制状況識別部１１１が当該規制に該当することを識別した場合にＧＧＳＮ１２０に当該識別の結果に対応する応答を返す識別結果応答部１１２を備えている。
【００２６】
即ち、ＨＬＲ１１０は、その被規制状況識別部１１１により、該パケット発信要求が上記加入者情報に対応して設定されている規制に該当するか否かを識別し、当該規制に該当する場合には、例えば３ＧＰＰ（third generation partnership project）の標準化仕様による「unknown subscriber」なるメッセージデータ（３ＧＰＰ  ＴＳ２９．００２）を含む前記識別の結果に対応する応答をＧＧＳＮ１２０に返す。
【００２７】
ＨＬＲ１１０から上記識別の結果に対応する応答を受けたＧＧＳＮ１２０は、その識別結果応答転送部１２２により、この応答を、例えば３ＧＰＰの標準化仕様による「user authentication failed」なるメッセージデータ（３ＧＰＰ  ＴＳ２９．０６０）を含む上記識別の結果に対応する応答としてＳＧＳＮ２２０に転送する。
ＧＧＳＮ１２０から上記識別の結果に対応する応答を受けたＳＧＳＮ２２０は、その識別結果応答転送部２１２により、この応答を移動機２１０に転送する。
ＳＧＳＮ２２０から上記識別の結果に対応する応答を受けた移動機２１０は、この応答に対応したエラー表示として、例えば「加入者の認証ができません」等の所定のエラー表示を自機のディスプレイに行う。
【００２８】
図１の実施の形態では、ＨＬＲ１１０は、第１の通信事業者通信網１００に設置され顧客情報を管理する顧客管理システム１３０が保持している顧客毎の通信に関する規制情報に基づいて前記識別を実行する。
顧客管理システム１３０は、第１の通信事業者通信網１００に設置され顧客の料金データを集中管理する料金明細センターの料金明細データベース１４０が保有する料金明細データに基づいて利用パケット料金が規制値を超過した顧客を特定する規制情報を該料金明細センターから得て保持している。ＨＬＲ１１０は、該保持されている規制情報に依拠してパケット発信要求が上述の規制に該当するか否かを識別する。
【００２９】
また、本実施の形態におけるＧＧＳＮ１２０は、ゲートウェイ１５０を介してコンテンツサーバ１６０と結ばれており、顧客が、コンテンツサーバ１６０に蓄積されたコンテンツにＧＧＳＮ１２０を介してアクセス可能なサービスが提供されている。
尚、以上の構成において、第１の通信事業者通信網１００は第１国内に構築され、且つ、第２の通信事業者通信網２００は第２国内に構築されて、相互に結ばれた国際ローミングシステムが構築されている場合においても、上述のローミングシステムの構成および機能は同様に具現され得る。
【００３０】
（ローミングシステムにおける通信規制動作）
次に図面を参照して図１のローミングシステムにおける通信規制動作について説明する。
図２は、図１のローミングシステムの動作を表すシーケンスチャートである。
第１の通信事業者通信網１００に加入者登録されており第２の通信事業者通信網２００にローミングアウトしている移動機２１０から第２の通信事業者通信網２００に設置されたＳＧＳＮ２２０にパケット発信要求が上がった場合を想定する（ステップＳ２０１）。
ＳＧＳＮ２２０は、ステップＳ２０１で受けたパケット発信要求を第１の通信事業者通信網１００のＧＧＳＮ１２０に転送する（ステップＳ２０２）。
【００３１】
ステップＳ２０２でパケット発信要求を受けたＧＧＳＮ１２０は、このパケット発信要求に基づいて、ＨＬＲ１１０に対して移動機（加入者）情報の問合せを行う（ステップＳ２０３）。
ステップＳ２０３で移動機（加入者）情報の問合せを受けたＨＬＲ１１０は、該問合せに対応して、当該移動機（加入者）に係る利用パケット量が第１の通信事業者との契約により定められた規定値を超過することになるか否かを識別する（ステップＳ２０４）。
【００３２】
ステップＳ２０４の識別処理において、ＨＬＲ１１０が、当該パケット発信要求に応じると、利用パケット量が上述の規定値を超過することになるとの識別結果を得たときには（ステップＳ２０４：Ｙｅｓ）、ＧＧＳＮ１２０に対し、例えば３ＧＰＰの標準化仕様による「unknown subscriber」なるメッセージデータを含む上記識別の結果に対応する応答を返す（ステップＳ２０５）。
【００３３】
ステップＳ２０５の応答を受けたＧＧＳＮ１２０は、上記識別の結果に対応する応答を、例えば３ＧＰＰの標準化仕様による「user authentication failed」なるメッセージデータを含む応答として第２の通信事業者通信網２００におけるＳＧＳＮ２２０に転送する（ステップＳ２０６）。
ステップＳ２０６の識別結果応答を受けたＳＧＳＮ２２０は、上記識別の結果に対応する応答を移動機２１０に転送する（ステップＳ２０７）。
【００３４】
ステップＳ２０７の応答を受けた移動機２１０は、上記識別の結果に対応する応答に対応したエラー表示として、例えば「加入者の認証ができません」等の所定のエラー表示を自機のディスプレイに行う（ステップＳ２０８）。
尚、ステップＳ２０４の識別処理において、ＨＬＲ１１０が、当該パケット発信要求に応じても、利用パケット量が上述の規定値を超過することにならないとの識別結果を得たときには（ステップＳ２０４：Ｎｏ）、ＧＧＳＮ１２０に対し、通常の如く、移動機（加入者）情報の応答を行う（ステップＳ２０９）。これにより、移動機２１０側では、通常の如く、ローミングによる通信（図１のコンテンツサーバ１６０を利用するサービスを含む通信）が可能になる。
【００３５】
尚、図１を参照して既述の通り、第１の通信事業者通信網１００は第１国内に構築され、且つ、第２の通信事業者通信網２００は第２国内に構築されて、相互に結ばれた国際ローミングシステムが構築されている場合においても、上述のローミングシステムの構成および機能は同様に具現され得る。従って、このような国際ローミングシステムにおいても、図２のシーケンスチャートを参照して説明したように動作する。
【００３６】
（ＨＬＲの構成）
図３は、本発明の一つの実施の形態としてのＨＬＲを表す機能ブロック図である。
図３において、本発明の一つの実施の形態としてのＨＬＲ１１０は、通信部３１０、情報処理部３２０、および、データベース部３３０を含んで構成されている。このデータベース部３３０に、移動機の位置登録情報を含む加入者情報が保持されている。
通信部３１０は、外部とのデータ（情報）の授受のための通信を行う。また、情報処理部３２０は、加入者情報問合せ受付処理部３２１、被規制状況識別部３２２、識別・応答処理部３２３、および、加入者情報応答処理部３２４を含んで構成されている。
【００３７】
加入者情報問合せ受付処理部３２１は、通信部３１０を通して受信される加入者情報問合せを受付けるようになされ、この通信部３１０と共にＨＬＲ１１０における加入者情報問合せ受信部３１１を構成する。
被規制状況識別部３２２は、加入者情報問合せ受付処理部３２１が加入者情報問合せを受けたときには該加入者情報問合せに対応する当該パケット発信要求がこの加入者情報に対応して設定されている規制に該当するか否かを識別する被規制状況識別部１１１を構成する。
【００３８】
識別・応答処理部３２３は、被規制状況識別部３２２が当該パケット発信要求が該規制に該当すると識別した場合に、ＧＧＳＮ１２０に通信部３１０を通して上記識別の結果に対応する応答を返す識別結果応答部１１２を構成する。
加入者情報応答処理部３２４は、被規制状況識別部３２２が当該パケット発信要求が該規制に該当しないと識別した場合に、ＧＧＳＮ１２０に通信部３１０を通して移動機（加入者）情報を返す。
【００３９】
（ＨＬＲにおける通信情報の処理の流れ）
以上の構成におけるＨＬＲ１１０でのパケット通信規制処理の流れを、本発明の一つの実施の形態としてのパケット通信規制方法を表すフローチャートを参照して説明する。
図４は、本発明の一つの実施の形態としてのパケット通信規制方法を表すフローチャートである。
移動機２１０から自機が在圏しているＳＧＳＮ２２０（第２の通信事業者通信網２００）を介してパケット発信要求を受信したＧＧＳＮ１２０（第１の通信事業者通信網１００）から発される加入者情報の問合せを待機する（ステップＳ４０１：Ｎｏ）。
【００４０】
加入者情報の問合せを受けると（ステップＳ４０１：Ｙｅｓ）、該問合せに関する当該パケット発信要求が加入者情報に対応して設定されている規制に該当するか否かを識別するパケット通信可否識別処理を実行する（ステップＳ４０２）。
ステップＳ４０２におけるパケット通信可否識別処理の結果が、当該パケット発信要求に応じたパケット通信が上述の規制に該当せず、通信が許容されるか否かを判断する（ステップＳ４０２）。
【００４１】
ステップＳ４０２で、当該パケット発信要求に応じたパケット通信が上述の規制に該当せず通信が許容されると判断したときには（ステップＳ４０２：Ｙｅｓ）、通常の如く、移動機（加入者）情報の応答を行う（ステップＳ４０４）。これにより、移動機２１０側では、通常の如く、ローミングによる通信（図１のコンテンツサーバ１６０を利用するサービスを含む通信）が可能になる。
【００４２】
一方、ステップＳ４０２で、当該パケット発信要求に応じたパケット通信が上述の規制に該当し通信を規制すべき状態であると判断したときには（ステップＳ４０２：Ｎｏ）、ＧＧＳＮ１２０に対し、例えば３ＧＰＰ（third generation partnership project）の標準化仕様による「unknown subscriber」なるメッセージデータを含む上記識別の結果に対応する応答を返す（ステップＳ４０５）。既述の如く、この「unknown subscriber」なるメッセージデータに基づいて、移動機２１０に対しては確実にパケット通信の規制がかかることになる。
【符号の説明】
【００４３】
１００………………第１の通信事業者通信網
１１０………………ＨＬＲ
１２０………………ＧＧＳＮ
１３０………………顧客管理システム
１４０………………料金明細データベース
１５０………………ゲートウェイ
１６０………………コンテンツサーバ
２００………………第２の通信事業者通信網
２１０………………移動機
２２０………………ＳＧＳＮ
３１０………………通信部
３２０………………情報処理部
３２１………………加入者情報問合せ受付処理部
３２２………………被規制状況識別部
３２３………………識別・応答処理部
３２４………………加入者情報応答処理部
３３０………………データベース部
【図１】
2011009918.tif 000003
【図２】
2011009918.tif 000004
【図３】
2011009918.tif 000005
【図４】
2011009918.tif 000006